(57)【要約】【課題】大型化が防止されながら、優れた静電気耐圧を有するとともに、良好な通信性能を有するアンテナ付き入力装置、及び、該装置を備える電子機器を提供する。【解決手段】アンテナ付き入力装置は、感知面に沿って配置される絶縁基板（34a，36a，40，28）と、絶縁基板（34a，36a，40，28）に設けられ、感知面に対する物体の接触を検知するための測定用電極（34b，36b，36c）と、測定用電極（34b，36b，36c）を囲むように絶縁基板（34a，36a，40，28）に設けられ、平衡信号を送信若しくは受信するためのアンテナ(48，50)と、絶縁基板（34a，36a，40，28）に設けられた接地端子(60)と、アンテナ(48，50)の電気的中点(EC)と接地端子(60)とを繋ぐ接地導体(64)とを備える。【選択図】図６
2011146836.tif 000002
【特許請求の範囲】
【請求項１】
感知面に沿って配置される絶縁基板と、
前記絶縁基板に設けられ、前記感知面に対する物体の接触を検知するための測定用電極と、
前記測定用電極を囲むように前記絶縁基板に設けられ、平衡信号を送信若しくは受信するためのアンテナと、
前記絶縁基板に設けられた接地端子と、
前記アンテナの電気的中点と前記接地端子とを繋ぐ接地導体と
を備えることを特徴とするアンテナ付き入力装置。
【請求項２】
前記アンテナは第１のアンテナパターンを含み、
前記第１のアンテナパターンは、前記感知面側に位置する前記絶縁基板の第１の面に、前記測定用電極を囲むように配置されている
ことを特徴とする請求項１に記載のアンテナ付き入力装置。
【請求項３】
前記接地端子は、前記感知面とは反対側に位置する前記絶縁基板の第２の面に配置され、
前記アンテナは、前記絶縁基板の前記第２の面に配置され、且つ、前記電気的中点を有する第２のアンテナパターンを含む
ことを特徴とする請求項２に記載のアンテナ付き入力装置。
【請求項４】
前記測定用電極は、静電容量の変化に基づいて物体の接触を検知すべく、前記絶縁基板の第１の面に配置された電極パターンを含み、
前記第２のアンテナパターンは、前記第１のアンテナパターンの長さに対応する長さを有し、且つ、前記第１のアンテナパターンと電気的に直列に接続されている
ことを特徴とする請求項３に記載のアンテナ付き入力装置。
【請求項５】
前記第１のアンテナパターンの横断面積は、前記第２のアンテナパターンの横断面積とは異なる
ことを特徴とする請求項３に記載のアンテナ付き入力装置。
【請求項６】
前記第１のアンテナパターンは、相互に分離した第１の部分及び第２の部分を含み、
前記第１の部分、前記第２のアンテナパターンの少なくとも一部、及び、前記第２の部分はこの順序で電気的に直列に接続されている
ことを特徴とする請求項３に記載のアンテナ付き入力装置。
【請求項７】
前記アンテナは第３のアンテナパターンを含み、
前記第３のアンテナパターンは、前記絶縁基板の内部に、前記第１の面に対して平行に配置され、
前記第１のアンテナパターン、前記第２のアンテナパターンの少なくとも一部及び前記第３のアンテナパターンは、この順序で電気的に直列に接続されている
ことを特徴とする請求項３に記載のアンテナ付き入力装置。
【請求項８】
前記アンテナは、バリスタを介して前記接地端子に接続されている
ことを特徴とする請求項１乃至７の何れか一項に記載のアンテナ付き入力装置。
【請求項９】
前記絶縁基板には、前記測定用電極と協働して前記感知面に対する物体の接触を検知するための検出回路が設けられ、
前記検出回路のシグナルグランドは前記接地端子に電気的に接続されている
ことを特徴とする請求項１乃至８の何れか一項に記載のアンテナ付き入力装置。
【請求項１０】
前記絶縁基板には、前記測定用電極と協働して前記感知面に対する物体の接触を検知するための検出回路が設けられ、
前記検出回路のシグナルグランドは、前記接地端子に対して電気的に浮いている
ことを特徴とする請求項１乃至８の何れか一項に記載のアンテナ付き入力装置。
【請求項１１】
前記絶縁基板の内部に、前記感知面からみて前記測定用電極よりも遠くに設けられたメッシュ形状のシールド電極を更に備える
ことを特徴とする請求項１乃至１０の何れか一項に記載のアンテナ付き入力装置。
【請求項１２】
請求項１乃至１１の何れか一項に記載のアンテナ付き入力装置を備えることを特徴とする電子機器。
【発明の詳細な説明】
【技術分野】
【０００１】
本発明は、アンテナ付き入力装置、及び該装置を備える電子機器に関する。
【背景技術】
【０００２】
接触型の入力装置として、例えばタッチパッド入力装置は、ラップトップ型のパーソナルコンピュータ（ラップトップコンピュータ）等の電子機器に搭載される。ラップトップコンピュータでは、キーボードを有する本体とディスプレーとがヒンジで連結され、この本体において、キーボードの手前側にタッチパッド入力装置が配置される。
【０００３】
ラップトップコンピュータでは、本体のハウジングの内側にシールド部材が設けられている。シールド部材は、本体内部の電子機器を覆うように設けられ、不要電磁波の放射又は入射を抑制している（ＥＭＩ対策）。
ただし、本体のハウジング及びシールド部材には、タッチパッド入力装置を配置するための開口部が設けられ、タッチパッド入力装置のフェイスシートは、開口部にて表出して感知面を構成する。
【０００４】
タッチパッド入力装置は、感知面に接近する物体を検知するための測定用電極及び検知回路を有する。測定用電極は、例えば、感知面に沿って延びる複数のＸ電極と、Ｘ電極と直交する方向に延びる複数のＹ電極と、Ｙ電極と噛み合うように配置された検出電極とを有する。この場合、Ｘ電極又はＹ電極と検出電極との間の静電容量の変化を検知することによって、感知面に対する物体の接近が検知される。
【０００５】
特許文献１は、この種のタッチパッド入力装置にアンテナを付加したアンテナ付きのタッチパッドモジュールを提案している。このタッチパッドモジュールでは、アンテナがシールド部材の開口部に配置されることで、アンテナを介して外部との通信が可能になるものと考えられている。
【０００６】
特許文献１が開示するタッチパッドモジュールにおいては、例えば、アンテナは、タッチパッドのプリント回路基板に設けられる。また、アンテナは、タッチパッドアレイ自体のために用いられる層の間の、またはその層に隣接する、個別のフレキシブル層に配置され得るとされている。
【先行技術文献】
【特許文献】
【０００７】
【特許文献１】特表２００２−５３９５１７号公報（段落番号０００６、００１４、００３３及び図３等。）
【発明の概要】
【発明が解決しようとする課題】
【０００８】
入力装置には、ＥＳＤ（Electrostatic Discharge）対策として、フレームグランドを有するものがある。フレームグランドは、静電気によるサージ電流が入力装置に流れ込んだときに、入力装置の電気回路が破壊されることを防止するとともに、異常時に入力装置から外部に大電流が流れることも防止する。
具体的には、フレームグランドを構成する略環形状のグランドパターンは、入力装置の絶縁基板の感知面側に、測定用電極を囲むように設けられる。フレームグランドは、絶縁基板に設けられた接地電極を介して、入力装置を搭載した電子機器のフレームグランドに電気的に接続される。
【０００９】
グランドパターンよりも更に外側にアンテナを設けた場合、絶縁基板の大型化、ひいては入力装置の大型化を招いてしまう。また、グランドパターンの幅は太く、アンテナの近傍にグランドパターンが存在すると、アンテナで発生させた電磁波や磁束がグランドパターンで反射若しくは吸収されてしまい、通信性能が低下してしまう。
本発明は上述した事情に基づいてなされ、その目的とするところは、大型化が防止されながら、優れた静電気耐圧を有するとともに、良好な通信性能を有するアンテナ付き入力装置、及び、該装置を備える電子機器を提供することにある。
【課題を解決するための手段】
【００１０】
上記目的を達成するため、本発明者らは種々の検討を行った。この検討の過程において、グランドパターンにアンテナとしての機能を追加的に担わせることに着想した。
しかしながら、グランドパターンをアンテナとして使用する場合、静電気によるサージ電流によって、アンテナの電気回路が破壊される虞がある。また、そもそも、アンテナは、インダクタンスや品質係数（Ｑ値）が所定の値になるように設計されるが、グランドパターンは、太く短くなるように設計されており、アンテナとグランドパターンとでは設計思想が異なる。このため、この着想の実現は困難であると思われた。
それでも発明者等は鋭意検討を続け、アンテナにグランパターンとしての機能を持たせながら、アンテナの電気的中点を接地すれば、アンテナの電気回路が静電気等によるサージ電流から保護されることを見出し、本発明に想到した。
かくして本発明は以下の解決手段を採用する。
【００１１】
第１の解決手段：本発明の一態様によれば、感知面に沿って配置される絶縁基板と、前記絶縁基板に設けられ、前記感知面に対する物体の接触を検知するための測定用電極と、前記測定用電極を囲むように前記絶縁基板に設けられ、平衡信号を送信若しくは受信するためのアンテナと、前記絶縁基板に設けられた接地端子と、前記アンテナの電気的中点と前記接地端子とを繋ぐ接地導体とを備えることを特徴とするアンテナ付き入力装置が提供される。
【００１２】
第１の解決手段のアンテナ付き入力装置によれば、アンテナが測定用電極を囲むように設けられ、アンテナの電気的中点が、接地端子に接続されている。従って、アンテナは接地可能であり、アンテナがフレームグランドとしての機能を有する。よって、このアンテナ付入力装置を搭載した電子機器では、静電気の放電等によるサージ電流がアンテナに流れ込んだときに、サージ電流が接地端子へと逃がされる。かくして、アンテナに接続されている電気回路は、サージ電流による破壊から保護される。
【００１３】
一方、アンテナの電気的中点の電位は、平衡な高周波信号をアンテナが送受信しているときに、常に０Ｖである。このため、アンテナを用いて平衡な高周波信号を入出力する場合、アンテナの電気的中点が接地されていることは、アンテナの送信機能及び受信機能に影響を殆ど与えない。
この結果として、このアンテナ付き入力装置は、大型化が防止されながら、優れた静電気耐圧を有するとともに、良好な通信性能を有する。
【００１４】
第２の解決手段：好ましくは、前記アンテナは第１のアンテナパターンを含み、前記第１のアンテナパターンは、前記感知面側に位置する前記絶縁基板の第１の面に、前記測定用電極を囲むように配置されている。
【００１５】
第２の解決手段のアンテナ付き入力装置では、感知面側の絶縁基板の第１の面に第１のアンテナパターンが設けられているので、静電気によるサージ電流が入力装置に流れ込んだときに、サージ電流は第１のアンテナパターンに流れ込む。このため、サージ電流が測定用電極に流れ込むことが防止され、測定用電極に繋がっている電気回路もサージ電流による破壊から保護される。
また、アンテナは、感知面の近傍に第１のアンテナパターンを有しており、アンテナによる通信を阻害する物体がほとんど無い。このため、このアンテナ付き入力装置は、優れた通信性能を有する。
【００１６】
第３の解決手段：好ましくは、前記接地端子は、前記感知面とは反対側に位置する前記絶縁基板の第２の面に配置され、前記アンテナは、前記絶縁基板の前記第２の面に配置され、且つ、前記電気的中点を有する第２のアンテナパターンを含む。
【００１７】
第３の解決手段のアンテナ付き入力装置によれば、感知面とは反対側の絶縁基板の第２の面に接地端子が設けられており、接地端子が、このアンテナ付き入力装置を搭載する電子機器のアースに短距離で接続される。このため、アンテナは、短距離で電子機器のアースに接続され、サージ電流が確実にアースに逃がされる。この結果として、このアンテナ付き入力装置は、静電気耐圧においてより優れている。
【００１８】
第４の解決手段：前記測定用電極は、静電容量の変化に基づいて物体の接触を検知すべく、前記絶縁基板の第１の面に配置された電極パターンを含み、前記第２のアンテナパターンは、前記第１のアンテナパターンの長さに対応する長さを有し、且つ、前記第１のアンテナパターンと電気的に直列に接続されている。
【００１９】
第４の解決手段のアンテナ付き入力装置によれば、第１のアンテナパターンが第１の電極パターンを囲むことで、第１のアンテナパターンの実質的なインピーダンスが低下する。また、第２のアンテナパターンは、第１のアンテナパターンの長さに対応する長さを有する。このため、アンテナの電気的中点が第２のアンテナパターン上に確実に位置させられ、電気的中点と接地端子とが短距離にて接続される。
この結果として、アンテナに流れ込んだサージ電流は、アンテナ付き入力装置を搭載する電子機器のアースに確実に逃がされる。
なお、第１の電極パターンは、測定用電極の一つであり、第１の電極パターンを設けたことによって、入力装置が大型化することはない。
【００２０】
第５の解決手段：好ましくは、前記第１のアンテナパターンの横断面積は、前記第２のアンテナパターンの横断面積とは異なる。
第５の解決手段によれば、第１のアンテナパターンと第２のアンテナパターの横断面積を相違させることによって、第１のアンテナパターンと第２のアンテナパターのインピーダンスが調整される。そして、インピーダンスの調整によって、電気的中点が、第２のアンテナパターン上に確実且つ容易に位置付けられる。
【００２１】
第６の解決手段：好ましくは、前記第１のアンテナパターンは、相互に分離した第１の部分及び第２の部分を含み、前記第１の部分、前記第２のアンテナパターンの少なくとも一部、及び、前記第２の部分はこの順序で電気的に直列に接続されている。
第６の解決手段によれば、第１のアンテナパターンが２つの部分を含み、第１のアンテナパターンに第２のアンテナパターンの少なくとも一部が介挿されることで、電気的中点が、第２のアンテナパターン上に確実且つ容易に位置付けられる。
【００２２】
第７の解決手段：好ましくは、前記アンテナは第３のアンテナパターンを含み、前記第３のアンテナパターンは、前記絶縁基板の内部に、前記第１の面に対して平行に配置され、前記第１のアンテナパターン、前記第２のアンテナパターンの少なくとも一部及び前記第３のアンテナパターンは、この順序で電気的に直列に接続されている。
第７の解決手段によれば、第１のアンテナパターンと第３のアンテナパターンとの間に第２のアンテナパターンを介挿することによって、電気的中点が、第２のアンテナパターン上に確実且つ容易に位置付けられる。
【００２３】
第８の解決手段：好ましくは、前記アンテナは、バリスタを介して前記接地端子に接続されている。
第８の解決手段によれば、サージ電流がアンテナに流れ込んだときに、サージ電流がより確実に接地端子に逃がされる。
【００２４】
第９の解決手段：好ましくは、前記絶縁基板には、前記測定用電極と協働して前記感知面に対する物体の接触を検知するための検出回路が設けられ、前記検出回路のシグナルグランドは前記接地端子に電気的に接続されている。
第９の解決手段によれば、絶縁基板に設けられる接地端子の数が抑制される。
【００２５】
第１０の解決手段：好ましくは、前記絶縁基板には、前記測定用電極と協働して前記感知面に対する物体の接触を検知するための検出回路が設けられ、前記検出回路のシグナルグランドは、前記接地端子に対して電気的に浮いている。
第１０の解決手段によれば、接地端子を介してサージ電流が検出回路に流れ込むことが防止される。
【００２６】
第１１の解決手段：好ましくは、アンテナ付き入力装置は、前記絶縁基板の内部に、前記感知面からみて前記測定用電極よりも遠くに設けられたメッシュ形状のシールド電極を更に備える。
第１１の解決手段によれば、シールド電極によって、物体の検出精度が高くなる。一方、シールド電極をメッシュ形状にしたことによって、アンテナで発生した電磁波若しくは磁束がシールド電極によって反射若しくは吸収されることが抑制される。
この結果として、このアンテナ付き入力装置は、優れた物体の検出精度を有しながら、優れた静電気耐圧を有するとともに、良好な通信性能を有する。
【００２７】
第１２の解決手段：本発明の他の態様によれば、第１乃至第１１の解決手段の何れか一つのアンテナ付き入力装置を備えることを特徴とする電子機器が提供される。
【００２８】
解決手段１２の電子機器では、アンテナ付き入力装置が優れた静電気耐圧を有し、アンテナ付き入力装置の安定動作が確保されているので、当該電子機器に対する命令の入力が常時円滑に行われる。また、アンテナ付き入力装置が良好な通信性能を有するので、電子機器はユーザの意図した通りに動作する。
【発明の効果】
【００２９】
本発明によれば、大型化が防止されながら、優れた静電気耐圧を有するとともに、良好な通信性能を有するアンテナ付き入力装置、及び、該装置を搭載した電子機器が提供される。
【図面の簡単な説明】
【００３０】
【図１】第１実施形態のアンテナ付き入力装置を搭載したパーソナルコンピュータの外観を示す斜視図である。
【図２】図１のＩＩ−ＩＩ線に沿う概略的な部分断面図である。
【図３】第１実施形態のアンテナ付き入力装置の概略的な外観を示す斜視図である。
【図４】図３のアンテナ付き入力装置の概略的な分解斜視図である。
【図５】図４中のＸ電極層の概略的な平面図である。
【図６】図４中のプリント回路基板の概略的な平面図である。
【図７】図３のアンテナ付き入力装置のアンテナのための概略的な電気回路を示すブロック図である。
【図８】図７のブロック図を具体的な整合回路とともに示すブロック図である。
【図９】第２実施形態のアンテナ付き入力装置に用いられるＸ電極層の概略的な平面図である。
【図１０】第２実施形態のアンテナ付き入力装置に用いられるプリント回路基板の概略的な平面図である。
【図１１】第３実施形態のアンテナ付き入力装置に用いられるＸ電極層の概略的な平面図である。
【図１２】第３実施形態のアンテナ付き入力装置に用いられるプリント回路基板の概略的な平面図である。
【図１３】第３実施形態のアンテナ付き入力装置に用いられるＹ電極層の概略的な平面図である。
【図１４】第４実施形態のアンテナ付き入力装置のアンテナのための概略的な電気回路を示すブロック図である。
【図１５】第５実施形態のアンテナ付き入力装置のアンテナのための概略的な電気回路を示すブロック図である。
【図１６】図１５のブロック図を具体的な整合回路とともに示すブロック図である。
【図１７】図１５のブロック図を具体的な整合回路とともに示すブロック図である。
【発明を実施するための形態】
【００３１】
以下、本発明の実施形態について図面を参照して説明する。
〔第１実施形態〕
図１は、第１実施形態のアンテナ付き入力装置１０を搭載したラップトップ型のパーソナルコンピュータ（電子機器）１１を示す。コンピュータ１１は本体１２及びディスプレー１４を有し、本体１２とディスプレー１４はヒンジを介して結合されている。ディスプレー１４は、通常平置きされる本体１２に重ね合わされた状態（閉状態）から、ヒンジを支点として回転させられることにより可逆的に、本体１２に対して立った状態（開状態）になる。
【００３２】
ディスプレー１４は、例えば樹脂製のディスプレーハウジング１６を有する。ディスプレーハウジング１６は、扁平な箱形状をなし、例えばＡ４用紙と略等しい大きさを有する。ディスプレーハウジング１６は、閉状態にあるときに本体１２と対向する面（内面）を有し、ディスプレーハウジング１６の内面には、略全域に渡る開口が形成されている。ディスプレーハウジング１６の開口１６ａには、例えば液晶パネル１８が表出している。
【００３３】
本体１２は、扁平な箱形状の樹脂製のメインハウジング２０を有する。
閉状態のときにディスプレー１４と対向するメインハウジング２０の上面には、液晶パネル１８に向かって見たとき奥側、則ちヒンジ側に開口２０ａが設けられ、この開口２０ａ内にキーボード２１が配置されている。なお、メインハウジング２０の上面の大きさは、ディスプレーハウジング１６の内面と略同一である。
【００３４】
また、メインハウジング２０の上面には、キーボード２１よりも手前の中央にも開口２０ｂが形成されている。この開口２０ｂには、アンテナ付き入力装置１０のフェイスシート２２が表出している。
更に、メインハウジング２０の上面には、開口２０ｂよりも手前に開口２０ｃが形成され、この開口２０ｃには、２つのボタン２４ａ，２４ｂがメインハウジング２０の幅方向に並んで表出している。
なお、メインハウジング２０の上面における、開口２０ｂ，２０ｃの両側の領域はパームレストとして機能する。
【００３５】
図２は、図１中のＩＩ−ＩＩ線に沿う断面図であり、本体１２の部分的な断面を示す。
メインハウジング２０の内側には、金属製のシールド部材２６が設けられている。シールド部材２６は、メインハウジング２０よりも若干小さな形状をなし、キーボード２１、フェイスシート２２及びボタン２４ａ，２４ｂが表出している領域を除き、メインハウジング２０によって略全域が覆われている。
【００３６】
シールド部材２６の上壁には、メインハウジング２０の開口２０ｂの位置に対応して開口２６ａが形成されている。そして、シールド部材２６の内側には、開口２６ａに対応して、開口２６ａよりも若干大の底板２７ａが配置されている。底板２７ａは導電性を有し、底板２７ａとシールド部材２６の上壁との間は、例えば導電性を有する複数の接続部材２７ｂによって、機械的及び電気的に接続されている。
【００３７】
底板２７ａは、シールド部材２６の開口２６ａを塞ぐように配置されているが、底板２７ａは、シールド部材２６の上壁から離間している。このため、底板２７ａ及び接続部材２７ｂは、開口２６ａに連なる凹み２７を形成し、この凹み２７内に、アンテナ付き入力装置１０は配置されている。
なお、底板２７ａには、一体に接続リード２７ｃが形成され、接続リード２７ｃは、アンテナ付き入力装置１０に電気的に接続されている。接続リード２７ｃは、パーソナルコンピュータ１１のアースに電気的に接続されている。
【００３８】
〔アンテナ付き入力装置〕
アンテナ付き入力装置１０は、好ましくはアンテナ付きのタッチパッド入力装置である。アンテナ付き入力装置１０は、適当なパターンの配線（図示せず）を有するプリント回路基板２８を有し、プリント回路基板２８は、図示しない支持部材によって、凹み２７内に固定されている。
【００３９】
プリント回路基板２８はメインハウジング２０の上面と略平行に配置される。凹み２７の底面、即ち底板２７ａと対向するプリント回路基板２８の下面には、ＩＣチップ３０等の電気素子、及び、コネクタ端子３１が実装されている。プリント回路基板２８に実装された電気素子は、コネクタ端子３１及びコネクタ端子３１に接続される例えばフラットケーブルを介して、シールド部材２６の内部に配置されたコンピュータ１１のマザー基板（図示せず）に接続される。
【００４０】
開口２０ｂ側に位置するプリント回路基板２８の上面には、フェイスシート２２を含む積層体３２が固定されている。フェイスシート２２の上面は感知面として構成され、ユーザは、指先若しくは入力用の物体を感知面に接触若しくは接近させることによって、所望の命令をアンテナ付き入力装置１０を介してパーソナルコンピュータ１１に入力する。
【００４１】
図３は、アンテナ付き入力装置１０の概略的な外観を示す斜視図である。プリント回路基板２８は、積層体３２と同等の四角形状を有し、プリント回路基板２８の一方の面に積層体３２が固定されている。
【００４２】
〔積層体〕
図４は、アンテナ付き入力装置１０を分解して示す概略的な斜視図である。
積層体３２は、フェイスシート２２側から順に、Ｘ電極層３４、Ｙ電極層３６、及び、シールド電極層３８を有する。これらフェイスシート２２、Ｘ電極層３４、Ｙ電極層３６及びシールド電極層３８は、ホットプレス又は接着剤などによって相互に密着している。
【００４３】
Ｘ電極層３４は、フィルム基板（Ｘ電極基板）３４ａと、フィルム基板３４ａに一体に形成された複数のＸ電極３４ｂとを含む。Ｘ電極３４ｂは、フィルム基板３４ａの一方の面の略全域に分布させられている。
具体的には、フィルム基板３４ａは長方形形状を有し、フィルム基板３４ａの短辺はパーソナルコンピュータ１１の本体１２の奥行き方向に延び、フィルム基板３４ａの長辺はパーソナルコンピュータ１１の本体１２の幅方向に延びている。
Ｘ電極３４ｂは、互いに平行な複数の導電性の帯によって構成され、導電性の帯は、フィルム基板３４ａの短辺の方向にそれぞれ延び、フィルム基板３４ａの長辺の方向にて相互に一定間隔にて離間している。
【００４４】
Ｙ電極層３６は、フィルム基板（Ｙ電極基板）３６ａと、フィルム基板３６ａに一体に形成された複数のＹ電極３６ｂとを含む。また、Ｙ電極層３６は、フィルム基板３６ａに一体に形成された櫛形状の検出電極３６ｃを含む。Ｙ電極３６ｂ及び検出電極３６ｃは、相互に噛み合うように配置されながら、フィルム基板３６ａの一方の面の略全域に分布させられている。
具体的には、フィルム基板３６ａは、フィルム基板３４ａと同じ長方形形状を有する。Ｙ電極３６ｂは、互いに平行な複数の導電性の帯によって構成され、導電性の帯は、フィルム基板３６ａの長辺の方向にそれぞれ延び、フィルム基板３６ａの短辺の方向にて相互に一定間隔にて離間している。
【００４５】
検出電極３６ｃは、互いに平行な複数の導電性の帯と、これらの帯の一端を相互に連結する一つの導電性の帯によって構成されている。検出電極３６ｃの複数の導電性の帯も、Ｙ電極３６ｂの複数の導電性の帯と同様に、フィルム基板３６ａの長辺の方向にそれぞれ延び、フィルム基板３６ａの短辺の方向にて相互に一定間隔にて離間している。そして、検出電極３６ｃの複数の導電性の帯は、Ｙ電極３６ｂの複数の導電性の帯の間に配置されている。
【００４６】
従って、Ｙ電極３６ｂ及びＸ電極３４ｂは、積層方向で見たときに、碁盤目状に相互に直交している。そして、検出電極３６ｃ、Ｙ電極３６ｂ及びＸ電極３４ｂは、フェイスシート２２の表面に接近若しくは接触する指先等の物体の位置を検出するための測定用電極をそれぞれ構成している。
【００４７】
シールド電極層３８は、フィルム基板（シールド電極基板）４０と、フィルム基板４０に一体に形成されたシールド電極４２とを含む。
シールド電極４２は、導電性の材料からなる層状の本体部４４を有し、好ましくは、本体部４４には複数の開口部４６が形成されている。本体部４４は、Ｘ電極層３４、Ｙ電極層３６ｂ及びシールド電極層３８の積層方向にて、Ｘ電極３４ｂ、Ｙ電極３６ｂ及び検出電極３６ｃが投影される投影位置に位置している。開口部４６は、積層方向にて、Ｘ電極３４ｂ、Ｙ電極３６ｂ及び検出電極３６ｃが投影されない非投影位置に位置している。従って、シールド電極４２の本体部４４は、Ｘ電極３４ｂ、Ｙ電極３６ｂ及び検出電極３６ｃを合わせたような碁盤目形状を有する。
なお、シールド電極層３８のシールド電極４２の形状は、碁盤目形状に限定されることはなく、ベタ形状等であっても良い。
【００４８】
なお、フィルム基板３４ａ，３６ａ，４０、及びフェイスシート２２は、略同じ形状を有し、４隅を揃えて相互に重ね合わされている。そして、フィルム基板３４ａ，３６ａ，４０及びプリント回路基板２８は、一体に接合されており、多層構造を有する一つの絶縁基板を構成している。フェイスシート２２は、絶縁基板の最も上に位置するフィルム基板３４ａを保護しており、絶縁基板と一体であっても別体であってもよい。
【００４９】
〔アンテナ〕
そして、アンテナ付き入力装置１０は、外部と通信するためのアンテナを有する。アンテナは、好ましくは磁界結合型のヘリカルアンテナ（ループアンテナ）である。
アンテナは、図５に示したように、Ｘ電極基板３４ａに一体に形成された第１のアンテナパターン（Ｘ電極層アンテナパターン）４８を含む。Ｘ電極層アンテナパターン４８は、導体の帯からなり、Ｘ電極３４ｂを囲むように、Ｘ電極基板３４ａの外縁側に設けられている。Ｘ電極層アンテナパターン４８は、略１周に渡って、Ｘ電極基板３４ａの外縁近傍を延びている。Ｘ電極層アンテナパターン４８の端部４８ａ，４８ｂは互いの近傍に位置しており、Ｘ電極基板３４ａの１つの角部にそれぞれ位置している。
【００５０】
そしてアンテナは、図６に示したように、積層体３２とは反対側のプリント回路基板２８の下面に一体に形成された第２のアンテナパターン（回路基板アンテナパターン）５０を含む。
なお、図６においては、回路基板アンテナパターン５０とＸ電極層アンテナパターン４８の位置関係を理解し易くするために、左右が逆に描かれている。
【００５１】
回路基板アンテナパターン５０は、プリント回路基板２８の１つの角部に、互いに離間した第１端子部５２及び第２端子部５４を有する。更に、回路基板アンテナパターン５０は、第１端子部５２に一体に連なるループ部５６、及び、第２端子部５４に連なる直線形状の連結部５８を含む。
第１端子部５２及び第２端子部５４はアンテナの両端を構成しており、本実施形態では、ランド部として形成されている。
【００５２】
ループ部５６は、導体の帯によって構成され、プリント回路基板２８の外縁近傍を、略１周に渡って延びている。従って、ループ部５６は、積層方向でみたとき、Ｘ電極層アンテナパターン４８と略同じように延びている。ここで、第１端子部５２とは反対側のループ部５６の端部５６ａの位置は、Ｘ電極層アンテナパターン４８の端部４８ａの位置に対応している。そして、ループ部５６の端部５６ａと端部４８ａとは、フィルム基板３４ａ，３６ａ，４０及びプリント回路基板２８を厚さ方向に貫通するスルーホールを介して電気的に接続されている。
【００５３】
また、回路基板アンテナパターン５０の連結部５８は、例えば第２端子部５４から真っ直ぐに延びている。第２端子部５４とは反対側の連結部５８の端部５８ａの位置は、Ｘ電極層アンテナパターン４８の端部４８ｂの位置に対応している。そして、連結部５８の端部５８ａと端部４８ｂとは、フィルム基板３４ａ，３６ａ，４０及びプリント回路基板２８を厚さ方向に貫通するスルーホールを介して電気的に接続されている。
【００５４】
かくして、Ｘ電極層アンテナパターン４８及び回路基板アンテナパターン５０は、巻回数が２回のループアンテナを構成している。
なお、Ｘ電極３４ｂ、Ｙ電極３６ｂ、検出電極３６ｃ及びアンテナの材料としては、アルミや銅等の金属を用いることができるが、ＩＴＯ（酸化インジウム錫）等の導電性の酸化物を用いてもよい。
【００５５】
一方、図６に示したように、プリント回路基板２８の下面の中央には、ＩＣチップ３０及びコネクタ端子３１が実装されている。ＩＣチップ３０には、Ｘ電極３４ｂ、Ｙ電極３６ｂ及び検出電極３６ｃが電気的に接続されており、ＩＣチップ３０は、Ｘ電極３４ｂ、Ｙ電極３６ｂ及び検出電極３６ｃと協働して感知面に対する物体の接触を検出するための検出回路を含んでいる。
また、プリント回路基板２８の下面には、例えば矩形形状の導体からなる接地端子６０が一体に形成されている。接続リード２７ｃは、接地端子６０に接触させられており、接地端子６０は、接続リード２７ｃを介して、パーソナルコンピュータ１１のアースに電気的に接続される。
【００５６】
接地端子６０は、一体に連なるリード部６２によって、ＩＣチップ３０及びコネクタ端子３１の所定の端子に電気的に接続されている。本実施形態では、ＩＣチップ３０の検出回路のシグナルグランドが、接地端子６０に接続されている。
また、リード部６２と回路基板アンテナパターン５０との間は、ブリッジ部６４によって繋がっている。従って、接地端子６０は、リード部６２の一部とブリッジ部６４を介して、回路基板アンテナパターン５０に電気的に接続されている。つまり、リード部６２の一部とブリッジ部６４は、接地端子６０とアンテナとを繋ぐ接地導体を構成している。
【００５７】
ここで、ブリッジ部６４が接続される回路基板アンテナパターン５０の位置は、アンテナの電気的中点ＥＣに位置している。つまり、第１端子５２から電気的中点ＥＣまでのアンテナの部分のインピーダンスと、第２端子５４から電気的中点ＥＣまでのアンテナの部分のインピーダンスが等しい。
【００５８】
〔電気回路〕
図７は、アンテナのための電気回路を概略的に示すブロック図である。なお、図中の符号「ＨＡ」は、アンテナに付されている。
アンテナＨＡには、平衡な高周波信号の送信及び受信に使用される。このため、アンテナＨＡの両端は、整合回路（平衡整合回路）７０に接続され、整合回路７０がＩＣチップ７２に接続される。ＩＣチップ７２は送受信回路を含んでいる。そして、アンテナＨＡの電気的中点ＥＣは、接地端子６０を介して接地される。
なお、整合回路７０及びＩＣチップ７２は、プリント回路基板２８に設けることができるが、プリント回路基板２８とは別に、パーソナルコンピュータ１１に設けることもできる。
【００５９】
図８では、整合回路７０の一例が具体的に示されている。
整合回路７０は、アンテナＨＡの両端に並列に接続されるコンデンサ７４を有し、アンテナＨＡ及びコンデンサ７４の一端は、コンデンサ７６を介してＩＣチップ７２に接続されている。そして、コンデンサ７６とＩＣチップ７２の中間点が、コンデンサ７８を介して接地されている。
同様に、アンテナＨＡ及びコンデンサ７４の他端は、コンデンサ８０を介してＩＣチップ７２に接続されている。そして、コンデンサ８０とＩＣチップ７２の中間点が、コンデンサ８２を介して接地されている。
【００６０】
上述した第１実施形態のアンテナ付き入力装置１０によれば、アンテナＨＡが、測定用電極としての、Ｘ電極３４ｂ、Ｙ電極３６ｂ及び検知電極３６ｃを囲むように設けられ、アンテナＨＡの電気的中点ＥＣが、接地端子６０に接続されている。従って、アンテナＨＡは接地可能であり、アンテナＨＡがフレームグランドとしての機能を有する。
【００６１】
よって、このアンテナ付き入力装置１０を搭載したパーソナルコンピュータ１１では、静電気の放電等によるサージ電流がアンテナＨＡに流れ込んだときに、サージ電流が接地端子６０へと逃がされる。かくして、アンテナＨＡに接続されている整合回路７０及びＩＣチップ７２等の電気回路は、サージ電流による破壊から保護される。
【００６２】
一方、アンテナＨＡの電気的中点ＥＣの電位は、平衡な高周波信号をアンテナＨＡが送受信しているときに、常に０Ｖである。このため、アンテナＨＡを用いて平衡な高周波信号を入出力する場合、アンテナＨＡの電気的中点ＥＣが接地されていることは、アンテナＨＡの送信機能及び受信機能に影響を殆ど与えない。
この結果として、このアンテナ付き入力装置１０は、大型化が防止されながら、優れた静電気耐圧を有するとともに、良好な通信性能を有する。
【００６３】
上述した第１実施形態のアンテナ付き入力装置１０では、フェイスシート２２側のＸ電極基板３４ａの上面にＸ電極層アンテナパターン４８が設けられているので、静電気によるサージ電流がアンテナ付き入力装置１０に流れ込んだときに、サージ電流はＸ電極層アンテナパターン４８に流れ込む。このため、サージ電流がＸ電極３４ｂに流れ込むことが防止され、Ｘ電極３４ｂに繋がっているＩＣチップ３０等の電気回路もサージ電流による破壊から保護される。
また、アンテナＨＡは、フェイスシート２２の直下にＸ電極層アンテナパターン４８を有しており、アンテナＨＡによる通信を阻害する物体がほとんど無い。このため、このアンテナ付き入力装置１０は、優れた通信性能を有する。
【００６４】
上述した第１実施形態のアンテナ付き入力装置１０によれば、フェイスシート２２とは反対側のプリント回路基板２８の下面に接地端子６０が設けられており、接地端子６０が、このアンテナ付き入力装置１０を搭載するパーソナルコンピュータ１１のアースに短距離で接続される。このため、アンテナＨＡは、パーソナルコンピュータ１１のアースに短距離で接続され、サージ電流が確実にアースに逃がされる。この結果として、このアンテナ付き入力装置１０は、静電気耐圧においてより優れている。
【００６５】
上述した第１実施形態のアンテナ付き入力装置１０によれば、Ｘ電極層アンテナパターン４８がＸ電極３４ｂを囲むことで、Ｘ電極層アンテナパターン４８の実質的なインピーダンスが低下する。また、回路基板アンテナパターン５０は、Ｘ電極層アンテナパターン４８の長さに対応する長さを有する。ここで、対応する長さを有するとは、回路基板アンテナパターン５０の長さとＸ電極層アンテナパターン４８の長さが実質的に等しいことをいう。
【００６６】
このため、Ｘ電極層アンテナパターン４８のインピーダンスは、回路基板アンテナパターン５０のインピーダンスよりも小さい。従って、アンテナＨＡの電気的中点ＥＣが回路基板アンテナパターン５０上に確実に位置させられ、電気的中点ＥＣと接地端子６０とが短距離にて接続される。
この結果として、アンテナＨＡに流れ込んだサージ電流は、アンテナ付き入力装置１０を搭載するパーソナルコンピュータ１１のアースに確実に逃がされる。
なお、Ｘ電極３４ｂは、測定用電極の一つであり、Ｘ電極３４ｂを設けたことによって、アンテナ付き入力装置１０が大型化することはない。
【００６７】
上述した第１実施形態のアンテナ付き入力装置１０では、Ｘ電極層アンテナパターン４８と回路基板アンテナパターン５０の横断面積を相違させることによって、Ｘ電極層アンテナパターン４８と回路基板アンテナパターン５０のインピーダンスが調整される。そして、インピーダンスの調整によって、電気的中点ＥＣが、回路基板アンテナパターン５０上に確実且つ容易に位置付けられる。
【００６８】
より具体的には、Ｘ電極層アンテナパターン４８の幅に比べて、回路基板アンテナパターン５０の幅を大きく若しくは小さくすることによって、電気的中点ＥＣの位置を調整することができる。このため、プリント回路基板２８における接地端子６０の位置がどこであっても、電気的中点ＥＣが接地端子６０近傍に位置付けられ、アンテナＨＡは、短距離でパーソナルコンピュータ１１のアースに接続される。
【００６９】
上述した第１実施形態のアンテナ付き入力装置１０では、ＩＣチップ３０によって構成される検出回路のシグナルグランドが接地端子６０に接続され、接地端子６０が検出回路のための接地端子も兼ねている。このため、プリント回路基板２８に設けられる接地端子の数が抑制される。
【００７０】
上述した第１実施形態のアンテナ付き入力装置１０では、シールド電極４２によって、物体の検出精度が高くなる。一方、シールド電極４２をメッシュ形状にしたことによって、アンテナＨＡで発生した電磁波若しくは磁束がシールド電極４２によって反射若しくは吸収されることが抑制される。
この結果として、このアンテナ付き入力装置１０は、優れた物体の検出精度を有しながら、優れた静電気耐圧を有するとともに、良好な通信性能を有する。
【００７１】
上述した第１実施形態のパーソナルコンピュータ１１では、アンテナ付き入力装置１０が優れた静電気耐圧を有し、アンテナ付き入力装置１０の安定動作が確保されているので、当該パーソナルコンピュータ１１に対する命令の入力が常時円滑に行われる。また、アンテナ付き入力装置１０が良好な通信性能を有するので、パーソナルコンピュータ１１はユーザの意図した通りに動作する。例えば、ＲＦＩＤカードをフェイスシート２２上に配置することで、パーソナルコンピュータ１１は、ＲＦＩＤ（Radio Frequency Identification）カードと所定の通信を的確に行う。
【００７２】
〔第２実施形態〕
以下、第２実施形態に係るタッチパッド入力装置について説明する。なお、第１実施形態に係るアンテナ付き入力装置１０と同一の構成又は機能を有する部材については、同一の符号を付して説明を適宜省略する。
図９は、第２実施形態に係るアンテナ付き入力装置に適用される、Ｘ電極層３４を概略的に示している。第２実施形態では、Ｘ電極層３４のＸ電極層アンテナパターン８４が、第１の部分８６及び第２の部分８８からなる。
【００７３】
第１の部分８６は、Ｘ電極基板３４ａの１つの角から対角まで、Ｘ電極基板３４ａの２つの辺縁近傍を延びている。第２の部分８８も、Ｘ電極基板３４ａの１つの角から対角まで延びているが、第１の部分８６とは異なるＸ電極基板３４ａの２つの辺縁近傍を延びている。従って、第１の部分８６及び第２の部分８８は、共同して、Ｘ電極３４ｂを囲んでいる。
【００７４】
図１０は、第２実施形態に係るアンテナ付き入力装置に適用される、プリント回路基板２８を概略的に示している。図１０においても、図６と同様に左右が逆に描かれている。
プリント回路基板２８に設けられた回路基板アンテナパターン９０では、ループ部９２と第１端子部５２とが相互に分離しており、第１端子部５２には、一体に連なる直線形状の連結部９４が設けられている。そして、ループ部９２は、第１端子部５２及び第２端子部５４とは対角に、相互に分離した両端９２ａ，９２ｂを有する。
【００７５】
本実施形態では、Ｘ電極層アンテナパターン８４の第１の部分８６、回路基板アンテナパターン９０のループ部９２、及び、Ｘ電極層アンテナパターン８４の第２の部分８８が、この順序で電気的に直列に接続されている。そのために、Ｘ電極層アンテナパターン８４の第１の部分８６の端部８６ａ，８６ｂ、第２の部分８８の端部８８ａ，８８ｂ、回路基板アンテナパターン９０のループ部９２の端部９２ａ，９２ｂ、及び、連結部５８，９４の端部５８ａ，９４ａの位置は適当に設定されている。
【００７６】
具体的には、回路基板アンテナパターン９０の連結部９４の端部９４ａとＸ電極層アンテナパターン８４の第１の部分８６の端部８６ａの位置が対応しており、端部９４ａと端部８６ａとがスルーホールを介して電気的に接続されている。
【００７７】
同様に、Ｘ電極層アンテナパターン８４の第１の部分８６の端部８６ｂと回路基板アンテナパターン９０のループ部９２の端部９２ａの位置が対応しており、端部８６ｂと端部９２ａとがスルーホールを介して電気的に接続されている。回路基板アンテナパターン９０のループ部９２の端部９２ｂとＸ電極層アンテナパターン８４の第２の部分８８の端部８８ａの位置が対応しており、端部９２ｂと端部８８ａとがスルーホールを介して電気的に接続されている。そして、Ｘ電極層アンテナパターン８４の第２の部分８８の端部８８ａと回路基板アンテナパターン９０の連結部５８の端部５８ａの位置が対応しており、端部８８ａと端部５８ａとがスルーホールを介して電気的に接続されている。
【００７８】
上述した第２実施形態のアンテナ付き入力装置によれば、Ｘ電極層アンテナパターン８４が第１の部分８６及び第２の部分８８からなり、Ｘ電極層アンテナパターン８４に回路基板アンテナパターン９０のループ部９２が介挿されることで、電気的中点ＥＣが、回路基板アンテナパターン９０上に確実且つ容易に位置付けられる。
【００７９】
なお、本実施形態では、プリント回路基板２８における接地端子６０の位置が第１実施形態とは異なっている。この場合でも、アンテナＨＡの電気的中点ＥＣの位置を適宜調整することによって、電気的中点ＥＣと接地端子６０とが短距離で接続される。つまり、接地端子６０の位置にかかわらず、アンテナＨＡの電気的中点ＥＣと接地端子６０とが短距離で接続される。
【００８０】
〔第３実施形態〕
以下、第３実施形態に係るアンテナ付き入力装置について説明する。なお、上述した実施形態に係るアンテナ付き入力装置と同一の構成又は機能を有する部材については、同一の符号を付して説明を適宜省略する。
【００８１】
図１１、図１２及び図１３は、第３実施形態に係るアンテナ付き入力装置に適用される、Ｘ電極層３４、プリント回路基板２８、及び、Ｙ電極層３６をそれぞれ概略的に示している。第３実施形態では、Ｘ電極層３４、プリント回路基板２８、及び、Ｙ電極層３６に、Ｘ電極層アンテナパターン９６、回路基板アンテナパターン９８、及び、Ｙ電極層アンテナパターン１００がそれぞれ設けられている。そして、Ｘ電極層アンテナパターン９６、回路基板アンテナパターン９８のループ部１０２、及び、Ｙ電極層アンテナパターン１００が、この順序で電気的に直列に接続されている。
【００８２】
そのために、Ｘ電極層アンテナパターン９６の端部９６ａ，９６ｂ、回路基板アンテナパターン９８の第１端子部５２、第２端子部５４、ループ部１０２の端部１０２ａ，１０２ｂ、及び、Ｙ電極層アンテナパターン１００の端部１００ａ，１００ｂの位置は、適当に設定されている。
具体的には、本実施形態では、回路基板アンテナパターン９８の第１端子部５２とＹ電極層アンテナパターン１００の端部１００ａの位置が対応しており、第１端子部５２と端部１００ａとがスルーホールを介して電気的に接続されている。
【００８３】
同様に、Ｙ電極層アンテナパターン１００の端部１００ａと回路基板アンテナパターン９８のループ部１０２の端部１０２ａの位置が対応しており、端部１００ａと端部１０２ａとがスルーホールを介して電気的に接続されている。回路基板アンテナパターン９８のループ部１０２の端部１０２ｂと、Ｘ電極層アンテナパターン９６の端部９６ａの位置が対応しており、端部１０２ｂと端部９６ａとがスルーホールを介して電気的に接続されている。そして、Ｘ電極層アンテナパターン９６の端部９６ｂと回路基板アンテナパターン９８の第２端子部５４の位置が対応しており、端部９６ｂと第２端子部５４とが電気的に接続されている。
【００８４】
従って第３実施形態では、アンテナＨＡは、Ｙ電極層アンテナパターン１００を更に含み、Ｙ電極層アンテナパターン１００は、積層体３２の内部に、Ｘ電極層アンテナパターン９６及び回路基板アンテナパターン９８と平行に配置されている。
上述した第３実施形態のアンテナ付き入力装置によれば、Ｘ電極層アンテナパターン９６とＹ電極層アンテナパターン１００との間に回路基板アンテナパターン９８のループ部１０２を介挿することによって、電気的中点ＥＣが、回路基板アンテナパターン９８上に確実且つ容易に位置付けられる。
【００８５】
〔第４実施形態〕
図１４は、第４実施形態に係るアンテナ付き入力装置における、アンテナＨＡのための電気回路を概略的に示している。
図１４の電気回路において、整合回路１０４は、アンテナＨＡの両端に並列に接続されるコンデンサ１０６を有し、アンテナＨＡ及びコンデンサ１０６の一端は、コンデンサ１０８及びインダクタ１１０を介してＩＣチップ７２に接続されている。そして、インダクタ１１０の両端は、コンデンサ１１２，１１４を介して接地されている。
【００８６】
同様に、アンテナＨＡ及びコンデンサ１０６の他端は、コンデンサ１１６及びインダクタ１１８を介してＩＣチップ７２に接続されている。そして、インダクタ１１８の両端は、コンデンサ１２０，１２２を介して接地されている。
つまり、アンテナＨＡのための整合回路の構成は、特に限定されることはなく、アンテナＨＡの特性に応じて、適宜設定される。
【００８７】
〔第５実施形態〕
図１５は、第５実施形態に係るアンテナ付き入力装置における、アンテナＨＡのための電気回路を概略的に示している。図１５に示されるように、アンテナＨＡのバリスタ１２４，１２６を介して接地端子６０に接続されていても良い。バリスタ１２４，１２６は、アンテナＨＡに所定値を超えると電圧が印加されたときのみ、電流を接地端子６０に逃がす。
【００８８】
図１６及び図１７では、バリスタ１２４，１２６とともに用いられる整合回路が具体的に例示されており、整合回路７０及び整合回路１０４を用いることができる。
第５実施形態のアンテナ付き入力装置によれば、サージ電流がアンテナＨＡに流れ込んだときに、サージ電流がより確実に接地端子６０に逃がされる。
【００８９】
本発明は、上述した第１乃至第５実施形態に限定されることはなく、これら実施形態に種々の変形を加えた実施形態も含み、これら実施形態を適宜組み合わせた形態も含む。
例えば、上述した第１乃至第５実施形態では、物体を検知するための検知回路のシグナルグランドが接地端子６０に接続されていたが、シグナルグランドは、接地端子６０に対して電気的に浮いていてもよい。この場合、接地端子６０を介してサージ電流が検出回路に流れ込むことが防止される。
【００９０】
また、Ｘ電極３４ｂ、Ｙ電極３６ｂ、検出電極３６ｃ及びシールド電極４２は、別々のフィルム基板３４ａ，３６ａ，４０に形成されているが、これらを１つ又は２つのフィルム基板の表裏に形成してもよい。あるいは、積層プリント回路基板を用いてＸ電極３４ｂ、Ｙ電極３６ｂ、検出電極３６ｃ及びシールド電極４２を、アンテナＨＡとともに積層プリント回路基板に一体に形成してもよい。
【００９１】
つまり、Ｘ電極３４ｂ、Ｙ電極３６ｂ、検出電極３６ｃ及びシールド電極４２を支持する部材の構成は特に限定されない。
更に、検出電極３６ｃを省略し、Ｘ電極３４ｂに電圧を印加しているときにはＹ電極３６ｂを検出電極として利用し、逆に、Ｙ電極３６ｂに電圧を印加しているときにはＸ電極３４ｂを検出電極として利用してもよい。つまり、測定用電極の構成も特には限定されない。ただし、測定用電極は、静電容量の変化を利用して物体の接触を検知可能なように、平面でみたときに、格子状若しくは網目状に構成されているのが好ましい。
【００９２】
また更に、シールド電極４２の本体部４４の形状は、測定用電極が投影された形状に略合致するのが好ましいが、多少異なっていてもよい。
一方、アンテナＨＡの巻回数は第１乃至第５実施形態に限定されることはない。例えば、アンテナＨＡの巻回数は１回であってもよく、第１乃至第３実施形態で説明したように、２回以上であってもよい。アンテナＨＡは、２層以上に渡って設けられていてもよく、各層において２つ以上の複数の部分に分割されていてもよい。
【００９３】
最後に、本発明のアンテナ付き入力装置は、ラップトップ型のパーソナルコンピュータに具現化した例で説明されているが、ＰＤＡや携帯電話機の如くのモバイル用途の電子機器にも適用可能であるのは勿論である。更には、本発明のアンテナ付き入力装置は、透明な測定用電極及びシールド電極を用いることによって、タッチパネルにも適用可能である。
【符号の説明】
【００９４】
１０    アンテナ付き入力装置
１１    パーソナルコンピュータ（電子機器）
２８    プリント回路基板（絶縁基板）
３４ａ  Ｘ電極基板（絶縁基板）
３６ａ  Ｙ電極基板（絶縁基板）
３４ｂ  Ｘ電極（測定用電極，第１の電極パターン）
３６ｂ  Ｙ電極（測定用電極）
３６ｃ  検出電極（測定用電極）
４０    シールド電極基板（絶縁基板）
４２    シールド電極
４８    Ｘ電極層アンテナパターン（アンテナ，第１のアンテナパターン）
５０    回路基板アンテナパターン（アンテナ，第２のアンテナパターン）
５２    第１端子部
５４    第２端子部
５６    ループ部
５８    連結部
６４    ブリッジ部（接地導体）
７０    整合回路
７２    ＩＣチップ
ＥＣ    アンテナの電気的中点
【図１】
2011146836.tif 000003
【図２】
2011146836.tif 000004
【図３】
2011146836.tif 000005
【図４】
2011146836.tif 000006
【図５】
2011146836.tif 000007
【図６】
2011146836.tif 000008
【図７】
2011146836.tif 000009
【図８】
2011146836.tif 000010
【図９】
2011146836.tif 000011
【図１０】
2011146836.tif 000012
【図１１】
2011146836.tif 000013
【図１２】
2011146836.tif 000014
【図１３】
2011146836.tif 000015
【図１４】
2011146836.tif 000016
【図１５】
2011146836.tif 000017
【図１６】
2011146836.tif 000018
【図１７】
2011146836.tif 000019